(57)【特許請求の範囲】
【請求項１】
医療や介護に従事する従事者が所持する従事者端末と、前記従事者に対して個人情報の開示を許可する患者が所持する患者端末と、前記従事者端末および前記患者端末と通信回線を介して接続された情報管理装置とで構成される情報共有システムであって、
前記患者端末は、
前記患者端末の現在位置を特定する患者端末現在位置特定手段と、
前記患者から前記従事者への個人情報の開示要求を受け付ける開示要求受付手段と、
前記開示要求受付手段が前記開示要求を受け付けたときに、前記情報管理装置から前記従事者端末の現在位置を示す情報を受信して、前記従事者端末の現在位置を特定する従事者端末現在位置特定手段と、
前記患者端末現在位置特定手段によって特定された前記患者端末の現在位置と、前記従事者端末現在位置特定手段によって特定された前記従事者端末の現在位置とに基づいて、前記従事者を個人情報の開示先として許可するか否かを判定する許可判定手段と、
前記許可判定手段によって前記従事者を個人情報の開示先として許可すると判定したときに、前記従事者に対して前記患者の個人情報の開示を許可することを示す開示許可情報を前記情報管理装置へ送信する開示許可情報送信手段とを備え、
前記情報管理装置は、
前記従事者端末から所定時間間隔で前記従事者端末の現在位置を示す情報を受信する従事者端末現在位置情報受信手段と、
前記従事者端末現在位置情報受信手段によって受信された前記従事者端末の現在位置を示す情報を前記患者端末へ送信する従事者端末現在位置情報送信手段と、
前記患者端末から前記開示許可情報を受信する開示許可情報受信手段と、
前記開示許可情報受信手段によって前記開示許可情報を受信したときに、記録媒体に記録されている前記患者の個人情報を、前記患者の個人情報の開示が許可された前記従事者の前記従事者端末へ送信する個人情報送信手段とを備え、
前記従事者端末は、
所定時間間隔で前記従事者端末の現在位置を特定し、特定した現在位置を示す情報を前記情報管理装置へ送信する従事者端末現在位置特定手段と、
前記情報管理装置から前記患者の個人情報を受信する個人情報受信手段と、
前記個人情報受信手段によって受信された前記患者の個人情報を表示する個人情報表示手段とを備えることを特徴とする情報共有システム。
【請求項２】
請求項１に記載の情報共有システムにおいて、
前記許可判定手段は、前記患者端末の現在位置と前記従事者端末の現在位置とが所定距離内にあるときに、前記従事者を個人情報の開示先として許可すると判定することを特徴とする情報共有システム。
【請求項３】
請求項１または２に記載の情報共有システムにおいて、
前記許可判定手段は、前記患者端末の現在位置と前記従事者端末の現在位置があらかじめ設定された医療機関の敷地内に位置しているときに、前記従事者を個人情報の開示先として許可すると判定することを特徴とする情報共有システム。
【請求項４】
請求項３に記載の情報共有システムにおいて、
前記許可判定手段は、前記従事者端末の所持者が前記医療機関の所属者であるときに、前記従事者を個人情報の開示先として許可すると判定することを特徴とする情報共有システム。
【請求項５】
請求項４に記載の情報共有システムにおいて、
前記許可判定手段は、前記従事者端末の所持者が、前記医療機関において前記個人情報の開示が許可されているときに、前記従事者を個人情報の開示先として許可すると判定することを特徴とする情報共有システム。
【請求項６】
請求項４または５に記載の情報共有システムにおいて、
前記個人情報は、医師が前記患者を別の医師に紹介するための紹介情報を含み、
前記情報管理装置には、前記従事者端末の所持者が所属している医療機関に設置されている専門科を特定するための設置専門科特定用情報が記録されており、
前記許可判定手段は、前記設置専門科特定用情報を参照して、前記医療機関に、前記紹介情報で指定されている専門領域に対応する診療科が設置されていると判定した場合に、前記従事者を個人情報の開示先として許可すると判定することを特徴とする情報共有システム。
【請求項７】
請求項６に記載の情報共有システムにおいて、
前記情報管理装置には、前記従事者端末の所持者の専門科を特定するための従事者専門科特定用情報が記録されており、
前記許可判定手段は、前記従事者専門科特定用情報を参照して、前記紹介情報で指定されている専門領域に対応する専門科と前記従事者端末の所持者の専門科が一致すると判定した場合に、前記従事者を個人情報の開示先として許可すると判定することを特徴とする情報共有システム。
【請求項８】
請求項６または７に記載の情報共有システムにおいて、
前記許可判定手段は、前記医療機関が、前記紹介情報で指定されている紹介目的に応じた設備を備えているときに、前記従事者を個人情報の開示先として許可すると判定することを特徴とする情報共有システム。
【請求項９】
請求項８に記載の情報共有システムにおいて、
前記情報管理装置には、前記従事者端末の所持者が所属している医療機関における入院設備の有無を示す入院設備有無情報が記録されており、
前記許可判定手段は、前記紹介情報で指定されている紹介目的が転院であるときは、前記入院設備有無情報を参照して、前記医療機関に入院設備があると判定した場合に、前記従事者を個人情報の開示先として許可すると判定することを特徴とする情報共有システム。
【請求項１０】
請求項８または９に記載の情報共有システムにおいて、
前記情報管理装置には、前記従事者端末の所持者が所属している医療機関における手術設備の有無を示す手術設備有無情報が記録されており、
前記許可判定手段は、前記紹介情報で指定されている紹介目的が手術であるときは、前記手術設備有無情報を参照して、前記医療機関に手術設備があると判定した場合に、前記従事者を個人情報の開示先として許可すると判定することを特徴とする情報共有システム。
【請求項１１】
請求項８〜１０のいずれか一項に記載の情報共有システムにおいて、
前記情報管理装置には、前記従事者端末の所持者が所属している医療機関における撮影設備の有無を示す撮影設備有無情報が記録されており、
前記許可判定手段は、前記紹介情報で指定されている紹介目的が撮影であるときは、前記撮影設備有無情報を参照して、前記医療機関に撮影設備があると判定した場合に、前記従事者を個人情報の開示先として許可すると判定することを特徴とする情報共有システム。
【請求項１２】
請求項１〜１１のいずれか一項に記載の情報共有システムにおいて、
前記患者端末は、
前記許可判定手段によって前記従事者を個人情報の開示先として許可すると判定したときに、前記患者に対して前記従事者へ個人情報を開示することに同意するかを確認する同意確認手段をさらに備え、
前記開示許可情報送信手段は、前記同意確認手段によって前記患者が個人情報の開示に同意したことが確認されたときに、前記情報管理装置へ前記開示許可情報を送信することを特徴とする情報共有システム。
【請求項１３】
請求項１〜１２のいずれかに記載の患者端末。
【請求項１４】
請求項１〜１２のいずれかに記載の情報管理装置。
【発明の詳細な説明】
【技術分野】
【０００１】
本発明は、情報共有システム、患者端末、および情報管理装置に関する。
【背景技術】
【０００２】
次のような個人情報開示サーバが知られている。この個人情報開示サーバでは、アクセス元の情報端末の位置が、個人情報の帰属すべき人物の所在地に接近した場合に、情報端末からの個人情報へのアクセスを許可する（例えば、特許文献１）。
【先行技術文献】
【特許文献】
【０００３】
【特許文献１】特開２０１２−２４８０２７号公報
【発明の概要】
【発明が解決しようとする課題】
【０００４】
従来の個人情報開示サーバでは、医師や介護士が病院外で患者等の個人情報を閲覧する場合を想定しているため、医師や介護士が所持する情報端末が、個人情報の帰属すべき人物の所在地に接近した場合に、情報端末からの個人情報へのアクセスを許可して、セキュリティを高めていた。しかしながら、患者が病院等の施設を訪れたときに、患者自らが、訪問先の医師や介護に従事する従事者に個人情報を公開して情報共有を望む可能性もある。この場合には、患者の意思で従事者に個人情報を開示する必要があるが、従来の個人情報開示サーバでは、このような場合にセキュリティを向上させるための技術については、何ら検討されていなかった。
【課題を解決するための手段】
【０００５】
本発明による情報共有システムは、医療や介護に従事する従事者が所持する従事者端末と、従事者に対して個人情報の開示を許可する患者が所持する患者端末と、従事者端末および患者端末と通信回線を介して接続された情報管理装置とで構成される情報共有システムであって、患者端末は、患者端末の現在位置を特定する患者端末現在位置特定手段と、患者から従事者への個人情報の開示要求を受け付ける開示要求受付手段と、開示要求受付手段が開示要求を受け付けたときに、情報管理装置から従事者端末の現在位置を示す情報を受信して、従事者端末の現在位置を特定する従事者端末現在位置特定手段と、患者端末現在位置特定手段によって特定された患者端末の現在位置と、従事者端末現在位置特定手段によって特定された従事者端末の現在位置とに基づいて、従事者を個人情報の開示先として許可するか否かを判定する許可判定手段と、許可判定手段によって従事者を個人情報の開示先として許可すると判定したときに、従事者に対して患者の個人情報の開示を許可することを示す開示許可情報を情報管理装置へ送信する開示許可情報送信手段とを備え、情報管理装置は、従事者端末から所定時間間隔で従事者端末の現在位置を示す情報を受信する従事者端末現在位置情報受信手段と、従事者端末現在位置情報受信手段によって受信された従事者端末の現在位置を示す情報を患者端末へ送信する従事者端末現在位置情報送信手段と、患者端末から開示許可情報を受信する開示許可情報受信手段と、開示許可情報受信手段によって開示許可情報を受信したときに、記録媒体に記録されている患者の個人情報を、患者の個人情報の開示が許可された従事者の従事者端末へ送信する個人情報送信手段とを備え、従事者端末は、所定時間間隔で従事者端末の現在位置を特定し、特定した現在位置を示す情報を情報管理装置へ送信する従事者端末現在位置特定手段と、情報管理装置から患者の個人情報を受信する個人情報受信手段と、個人情報受信手段によって受信された患者の個人情報を表示する個人情報表示手段とを備えることを特徴とする。
本発明による患者端末は、上記情報共有システムで用いられる。
本発明による情報管理装置は、上記情報共有システムで用いられる。
【発明の効果】
【０００６】
本発明によれば、医療や介護に従事する従事者に対して個人情報の開示を許可したいと考える患者は、自らの医師で従事者に個人情報を開示することができるとともに、患者端末の現在位置と従事者端末の現在位置とに基づいて、従事者を個人情報の開示先として許可するか否かが判定されるため、個人情報の開示に対するセキュリティを向上させることができる。
【図面の簡単な説明】
【０００７】
【図１】情報共有システム１０の一実施の形態の構成を示すブロック図である。
【図２】患者端末１００の一実施の形態の構成を示すブロック図である。
【図３】従事者端末２００の一実施の形態の構成を示すブロック図である。
【図４】情報管理装置３００の一実施の形態の構成を示すブロック図である。
【図５】患者端末１００で実行される処理の流れを示すフローチャート図である。
【図６】従事者端末２００で実行される処理の流れを示すフローチャート図である。
【図７】情報管理装置３００で実行される処理の流れを示すフローチャート図である。
【発明を実施するための形態】
【０００８】
図１は、本実施の形態における情報共有システムの一実施の形態の構成を示すブロック図である。情報共有システム１０は、患者端末１００と、従事者端末２００と、情報管理装置３００とで構成される。患者端末１００は、医療や介護に従事する従事者に対して個人情報の開示を許可する患者が所持する端末であって、例えばスマートフォンやタブレット端末等の情報端末が用いられる。従事者端末２００は、医療や介護に従事する従事者が所持する端末であって、例えばスマートフォンやタブレット端末等の情報端末が用いられる。情報管理装置３００は、患者端末１００および従事者端末２００と通信回線を介して接続され、患者端末１００および従事者端末２００と通信を行って種々の処理を実行するための装置であって、例えば、サーバ装置やパソコン等の情報処理装置が用いられる。
【０００９】
本実施の形態では、従事者としては、医師、看護師、医師や看護師が所属する医療機関の事務員等といった医療従事者や、介護士、介護士が所属する介護機関の事務員といった介護従事者を想定する。また、患者としては、医療従事者から診断、治療、看護を受けるとともに、介護従事者から介護を受ける要介護患者を想定する。
【００１０】
本実施の形態では、患者端末１００および従事者端末２００と情報管理装置３００とは、例えばインターネットや携帯電話網等の通信回線を介して接続される。なお、図１では、情報共有システム１０は、患者端末１００、従事者端末２００、情報管理装置３００がそれぞれ１台ずつで構成される例を示しているが情報共有システム１０の構成はこれに限定されない。例えば、複数の情報管理装置３００で処理を分散させるようにしてもよいし、患者端末１００や従事者端末２００の数は特に限定されるものではない。
【００１１】
図２は、本実施の形態における患者端末１００としてスマートフォンを用いた場合の一実施の形態の構成を示すブロック図である。本実施の形態では、スマートフォンに情報管理装置３００と通信を行って、以下に説明する種々の機能を提供するための患者用アプリケーションがインストールされることにより、本実施の形態における患者端末１００として動作する。なお、患者用アプリケーションのプログラムは、インターネットを介して接続されたサーバ上で公開されることにより提供され、ユーザがこれをダウンロードにより入手し、患者端末１００にあらかじめインストールされているものとする。あるいは、患者用アプリケーションのプログラムは、ＣＤ−ＲＯＭやＤＶＤ−ＲＯＭ等の記録媒体に記録されて提供されるようにしてもよい。
【００１２】
患者端末１００は、タッチパネル１０１と、通信モジュール１０２と、マイク１０３と、制御装置１０４と、スピーカー１０５と、ＧＰＳモジュール１０６とを備えている。
【００１３】
タッチパネル１０１は、液晶パネル等の表示装置とタッチパッドのような位置入力装置を組み合わせた電子部品であり、画面上の表示を押すことで機器を操作することができる入力装置である。例えば、患者端末１００のユーザである患者は、液晶パネル上に表示されたボタンやメニュー等の表示項目を指やタッチペンを用いてタッチまたはスライドさせることにより、患者端末１００を操作することができる。タッチパネル１０１は、患者によるタッチやスライドといった操作を検出して、その検出信号を制御装置１０４へ出力する。
【００１４】
通信モジュール１０２は、無線または有線により、ＬＡＮや携帯電話通信網を介してインターネットに接続するためのモジュールが用いられる。患者端末１００は、この通信モジュール１０２を介して情報管理装置３００と通信を行う。
【００１５】
マイク１０３は、患者による発話音声を入力するための集音装置である。マイク１０３から入力されたアナログデータは、制御装置１０４でデジタル信号に変換される。
【００１６】
制御装置１０４は、ＣＰＵ、メモリ、およびその他の周辺回路によって構成され、患者端末１００の全体を制御する。なお、制御装置１０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、患者端末１００を動作させるためのファームウェアや種々のアプリケーションを動作させるためのソフトウェアのプログラムデータが記録される。本実施の形態では、この不揮発性のメモリに、上述した患者用アプリケーションのプログラムが記録されている。
【００１７】
スピーカー１０５は、音声を出力するための出力装置である。制御装置１０４は、他のユーザから着信があった場合の音声データや、不揮発性メモリに記録されている音声データをスピーカー１０５を介して出力する。
【００１８】
ＧＰＳモジュール１０６は、ＧＰＳ衛星と通信を行ってＧＰＳ信号を受信するためのモジュールである。
【００１９】
図３は、本実施の形態における従事者端末２００としてスマートフォンを用いた場合の一実施の形態の構成を示すブロック図である。本実施の形態では、スマートフォンに情報管理装置３００と通信を行って、以下に説明する種々の機能を提供するための従事者用アプリケーションがインストールされることにより、本実施の形態における従事者端末２００として動作する。なお、従事者用アプリケーションのプログラムは、インターネットを介して接続されたサーバ上で公開されることにより提供され、ユーザがこれをダウンロードにより入手し、従事者端末２００にあらかじめインストールされているものとする。あるいは、従事者用アプリケーションのプログラムは、ＣＤ−ＲＯＭやＤＶＤ−ＲＯＭ等の記録媒体に記録されて提供されるようにしてもよい。
【００２０】
従事者端末２００は、タッチパネル２０１と、通信モジュール２０２と、マイク２０３と、制御装置２０４と、スピーカー２０５と、ＧＰＳモジュール２０６とを備えている。
【００２１】
タッチパネル２０１は、液晶パネル等の表示装置とタッチパッドのような位置入力装置を組み合わせた電子部品であり、画面上の表示を押すことで機器を操作することができる入力装置である。例えば、従事者端末２００のユーザである従事者は、液晶パネル上に表示されたボタンやメニュー等の表示項目を指やタッチペンを用いてタッチまたはスライドさせることにより、従事者端末２００を操作することができる。タッチパネル２０１は、従事者によるタッチやスライドといった操作を検出して、その検出信号を制御装置２０４へ出力する。
【００２２】
通信モジュール２０２は、無線または有線により、ＬＡＮや携帯電話通信網を介してインターネットに接続するためのモジュールが用いられる。従事者端末２００は、この通信モジュール２０２を介して情報管理装置３００と通信を行う。
【００２３】
マイク２０３は、従事者による発話音声を入力するための集音装置である。マイク２０３から入力されたアナログデータは、制御装置２０４でデジタル信号に変換される。
【００２４】
制御装置２０４は、ＣＰＵ、メモリ、およびその他の周辺回路によって構成され、従事者端末２００の全体を制御する。なお、制御装置２０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、従事者端末２００を動作させるためのファームウェアや種々のアプリケーションを動作させるためのソフトウェアのプログラムデータが記録される。本実施の形態では、この不揮発性のメモリに、上述した従事者用アプリケーションのプログラムが記録されている。
【００２５】
スピーカー２０５は、音声を出力するための出力装置である。制御装置２０４は、他のユーザから着信があった場合の音声データや、不揮発性メモリに記録されている音声データをスピーカー２０５を介して出力する。
【００２６】
ＧＰＳモジュール２０６は、ＧＰＳ衛星と通信を行ってＧＰＳ信号を受信するためのモジュールである。
【００２７】
図４は、本実施の形態における情報管理装置３００としてサーバ装置を用いた場合の一実施の形態の構成を示すブロック図である。情報管理装置３００は、操作部材３０１と、接続ＩＦ（インターフェース）３０２と、制御装置３０３と、記録装置３０４とを備えている。
【００２８】
操作部材３０１は、情報管理装置３００の操作者によって操作される種々の装置、例えばキーボードやマウスを含む。
【００２９】
接続ＩＦ３０２は、情報管理装置３００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。情報管理装置３００は、この接続ＩＦ３０２を介して患者端末１００や従事者端末２００と通信を行う。
【００３０】
制御装置３０３は、ＣＰＵ、メモリ、およびその他の周辺回路によって構成され、情報管理装置３００の全体を制御する。なお、制御装置３０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ３０２を介して読み込まれたデータは、バッファメモリに一時的に記録される。
【００３１】
記録装置３０４は、情報管理装置３００が蓄える種々のデータや、制御装置３０３が実行するためのプログラムのデータ等を記録するための記録媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置３０４に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置３０４にインストールすることによって、制御装置３０３がプログラムを実行できるようになる。
【００３２】
本実施の形態における情報共有システム１０では、患者端末１００を所持する患者は、情報共有システム１０を利用して、従事者端末２００を所持する従事者に対して自身の個人情報を開示することができる。
【００３３】
本実施の形態では、情報共有システム１０を利用するに当たり、あらかじめ患者に関する患者情報、従事者が所属する機関に関する所属機関情報、および従事者に関する従事者情報が情報管理装置３００の記録装置３０４に記録されている。以下の説明では、医療従事者や介護従事者を従事者とし、医療従事者が所属する機関を病院、介護従事者が所属する機関を介護事業者とする場合を想定し、情報管理装置３００の記録装置３０４には、患者に関する患者情報、病院に関する病院情報、介護事業者に関する介護事業者情報、医療従事者や介護従事者に関する医療・介護従事者情報があらかじめ記録されているものとする。
【００３４】
患者情報には、患者の基本情報、患者用アプリケーションのログイン情報、患者の生活情報、患者の診療情報、患者の受け渡し情報、患者の介護・看護情報が含まれる。なお、本実施の形態では、患者用アプリケーションは、患者の基本情報と患者の生活情報の入力や編集を受け付ける機能を備えており、患者が患者端末１００上でこれらの情報を入力または編集すると、制御装置１０４が入力または編集された情報を情報管理装置３００へ送信することにより、記録装置３０４に患者の基本情報と患者の生活情報が記録される。また、従事者用アプリケーションは、患者の診療情報、患者の受け渡し情報、患者の介護・看護情報の入力や編集を受け付ける機能を備えており、従事者が従事者端末２００上でこれらの情報を入力または編集すると、制御装置２０４が入力または編集された情報を情報管理装置３００へ送信することにより、記録装置３０４に患者の診療情報、患者の受け渡し情報、患者の介護・看護情報が記録される。
【００３５】
患者の基本情報は、患者が医療や介護を受けるために必要な種々の情報を含み、例えば、患者の氏名、性別、生年月日、住所、電話番号、メールアドレス、職業、血液型、身長、体重、内服薬名、既往歴や疾患名、アレルギー名、かかりつけ病院名、かかりつけ医師名、緊急連絡先情報、保険情報等の情報があらかじめ登録される。なお、緊急連絡先情報としては、例えば家族の電話番号が記録され、保険情報としては、保険証の被保険者番号や保険者番号や保険者名等の情報が記録される。
【００３６】
患者の生活情報は、患者の日常生活に関する情報を含み、例えば、患者の家族情報、同居家族名、要援助状態を示す情報、通院状況を示す情報、居宅診療状況を示す情報、ケアプランを示す情報等があらかじめ登録される。なお、患者の家族情報としては、例えば、家族構成や家族の名前や家族の連絡先等の情報が記録され、要援助状態を示す情報としては、食事、排泄、入浴等のように、日常生活において、患者が援助を必要とする内容が記録される。通院状況を示す情報としては、患者が通院している病院名や担当医師名、治療内容等の情報が記録され、居宅診療状況を示す情報としては、居宅診療を担当する病院名や訪問担当医師名等の情報が記録される。ケアプランを示す情報としては、訪問介護、訪問入浴、訪問看護、通所リハビリ、福祉用具利用、生活援助、保護施設、医療施設等、計画単位、限度単位等の患者が受けるサービス内容を示す情報が記録される。
【００３７】
患者用アプリケーションのログイン情報は、患者が患者端末１００から情報共有システム１０へログインするために必要な情報を含み、例えば、患者の携帯電話番号、患者端末１００のＭＡＣアドレス、パスワード等の情報が記録される。
【００３８】
患者の診療情報は、患者の診療内容や診療結果に関する情報を含み、例えば、患者基本情報、処置病院名、担当専門科、医師名、現傷病名、現主要症状、直近検査所見、治療経過、処方内容、家族歴、既往歴、患者のバイタル情報が登録される。なお、患者基本情報としては、患者の氏名、性別、生年月日、住所が記録され、患者のバイタル情報としては、体温、血圧、脈拍、呼吸、血糖値等の情報が観測日時ごとに記録される。
【００３９】
患者の受け渡し情報は、患者を担当する医療従事者や介護従事者の間で受け渡される患者に関する情報を含み、例えば、紹介情報や医療画像データ等が含まれる。紹介情報は、医師が他の医師に患者を紹介するときに作成される紹介状の記載内容に応じた情報が含まれ、例えば、紹介目的を示す情報、紹介元に関する情報、患者基本情報、患者の治療内容に関する情報、患者の治療に当たって必要とする専門領域に関する情報、患者の家族歴や既往歴に関する情報、紹介先に返書を求めるか求めないかを示す情報、紹介元から初回先への申し送りメッセージ情報が登録される。なお、紹介目的を示す情報としては、紹介目的が入院、転院、手術、精査、加療、その他のいずれであるかを示す情報が記録され、紹介元に関する情報としては、紹介元医療機関の医療機関名、担当専門科、所在地、電話番号、ＦＡＸ番号、担当医師名等の情報が記録される。患者基本情報としては、患者の氏名、性別、生年月日、住所等が記録され、患者の治療内容に関する情報としては、現傷病名、現主要症状、直近検査所見、治療経過、処方内容等の情報が記録される。患者の治療に当たって必要とする専門領域に関する情報としては、神経内科、産婦人科、心臓外科等の専門領域を特定するための情報が記録される。また、医療画像データとしては、患者の検査や治療の過程で撮影されたＣＴ画像、ＭＲＩ画像、超音波画像、Ｘ線画像等の種々の画像データが記録される。
【００４０】
患者の介護・看護情報は、患者の介護や看護に関する情報を含み、例えば、要介護情報、介護プラン内容を示す情報、認知度を示す情報、担当ケアマネージャーに関する情報、ケアプランを示す情報、介護や看護のスケジュールに関する情報、患者のバイタル情報が登録される。要介護情報としては、要介護認定度やその認定期間等の情報が記録され、担当ケアマネージャーに関する情報としては、担当ケアマネージャー名、担当ケアマネージャーの所属機関名、担当ケアマネージャーの連絡先等が記録される。ケアプランを示す情報としては、上記と同様に、訪問介護、訪問入浴、訪問看護、通所リハビリ、福祉用具利用、生活援助、保護施設、医療施設等、計画単位、限度単位等の患者が受けるサービス内容を示す情報が記録される。介護や看護のスケジュールに関する情報としては、各ケアプランサービス毎の頻度、時間、単位、回数、担当者等を示す情報が記録され、患者のバイタル情報としては、上記と同様に、体温、血圧、脈拍、呼吸、血糖値等の情報が観測日時ごとに記録される。
【００４１】
病院情報は、情報共有システム１０を利用する病院によってあらかじめ入力されて、情報管理装置３００へ送信されることにより記録装置３０４に記録されている。病院情報は、各病院に設置された端末上で入力されて情報管理装置３００へ送信されるものとする。本実施の形態では、各病院に設置された端末上で入力された病院情報は、各病院が独自に導入している管理システムで管理されており、各病院の管理システムと情報共有システム１０とを連携させることによって、各病院の管理システムを構成するサーバに登録されている病院情報を情報管理装置３００へ送信することにより、記録装置３０４に記録する例について説明する。
【００４２】
病院情報には、病院名、専門科、病院に一意に割り当てられた事業者ＩＤ、入院設備の有無、手術設備の有無、撮影設備の有無、病院所在地、電話番号、ＦＡＸ番号、敷地の緯度・経度の各情報と、病院の管理システムを認証するための認証情報が含まれる。なお、病院の管理システムを認証するための認証情報は、各病院の管理システムと情報共有システム１０とを連携させるに当たり、情報管理装置３００が病院の管理システムを認証するために用いる情報であって、例えば、情報管理装置３００が接続を許可するサーバのＩＰアドレスやＭＡＣアドレスといった接続先情報、暗号化形式や暗号鍵等の暗号化に関する情報等を含む。
【００４３】
介護事業者情報は、情報共有システム１０を利用する介護事業者によってあらかじめ入力されて、情報管理装置３００へ送信されることにより記録装置３０４に記録されている。介護事業者情報は、各介護事業者に設置された端末上で入力されて情報管理装置３００へ送信されるものとする。本実施の形態では、各介護事業者に設置された端末上で入力された介護事業者情報は、各介護事業者が独自に導入している管理システムで管理されており、各介護事業者の管理システムと情報共有システム１０とを連携させることによって、各介護事業者の管理システムを構成するサーバに登録されている介護事業者情報を情報管理装置３００へ送信することにより、記録装置３０４に記録する例について説明する。
【００４４】
介護事業者情報には、介護事業者名、介護事業者による提供サービスの内容、介護事業者に一意に割り当てられた事業者ＩＤと、介護事業者の管理システムを認証するための認証情報が含まれる。なお、介護事業者による提供サービスの内容は、訪問介護、訪問入浴、訪問看護、通所リハビリ等の介護事業者が提供するサービスの内容を示す情報が登録される。また、介護事業者の管理システムを認証するための認証情報は、各介護事業者の管理システムと情報共有システム１０とを連携させるに当たり、情報管理装置３００が介護事業者の管理システムを認証するために用いる情報であって、例えば、情報管理装置３００が接続を許可するサーバのＩＰアドレスやＭＡＣアドレスといった接続先情報、暗号化形式や暗号鍵等の暗号化に関する情報等を含む。
【００４５】
医療・介護従事者情報には、医療・介護従事者の氏名、従事者用アプリケーションからのログイン情報、医療・介護従事者の専門科、所属している病院名や介護事業者名、保持資格、付与されている権限の各情報が含まれる。保持資格としては、医師、看護士、介護士等の各従事者が保有している資格の情報が記録される。また、付与されている権限としては、所属している医療機関から医療従事者に対して付与されている患者情報の閲覧権限や編集権限を示す情報や、所属している介護機関から介護従事者に対して付与されている患者情報の閲覧権限や編集権限を示す情報が記録される。なお、本実施の形態では、従事者用アプリケーションが、医療・介護従事者情報の入力や編集を受け付ける機能を備えており、従事者が従事者端末２００上でこれらの情報を入力または編集すると、制御装置２０４が入力または編集された情報を情報管理装置３００へ送信することにより、記録装置３０４に医療・介護従事者情報が記録される。
【００４６】
本実施の形態における情報共有システム１０では、医療や介護を受ける患者は、患者端末１００上で患者用アプリケーションを起動させ、上述した患者用アプリケーションのログイン情報を用いて情報共有システム１０へログインすることにより、患者用アプリケーションを介して情報共有システム１０を利用することが可能となる。例えば、ログイン情報として、患者端末１００のＭＡＣアドレスとパスワードを用いる場合には、制御装置１０４は、患者によって患者用アプリケーションの起動が指示されると、タッチパネル１０１にパスワードの入力を促すログイン画面を表示し、該ログイン画面上で患者によるパスワードの入力を受け付ける。制御装置１０４は、患者によってパスワードが入力されると、患者端末１００のＭＡＣアドレスと患者によって入力されたパスワードの組をログイン要求情報として情報管理装置３００へ送信する。
【００４７】
情報管理装置３００では、制御装置３０３は、患者端末１００からログイン要求情報を受信すると、記録装置３０４に記録されている患者情報の中に、患者用アプリケーションのログイン情報に含まれるＭＡＣアドレスとパスワードの組が、患者端末１００から受信したログイン要求情報に含まれるＭＡＣアドレスとパスワードの組と一致する情報が存在するか否かを判定する。その結果、一致する情報が存在すれば、患者端末１００へログイン許可信号を送信する。一方、一致する情報が存在しなければ、患者端末１００のへログイン拒否信号を送信する。また、制御装置３０３は、患者用アプリケーションのログイン情報に含まれるＭＡＣアドレスとパスワードの組が、ログイン要求情報に含まれるＭＡＣアドレスとパスワードの組と一致した患者情報を、ログインを許可した患者の患者情報として特定する。
【００４８】
患者端末１００では、制御装置１０４は、情報管理装置３００からログイン許可信号を受信した場合には、患者による患者用アプリケーションの利用を許可し、情報管理装置３００からログイン拒否信号を受信した場合には、患者による患者用アプリケーションの利用を拒否する。同様に、従事者は、従事者端末２００上で従事者用アプリケーションを起動させ、上述した従事者用アプリケーションのログイン情報を用いて情報共有システム１０へログインすることにより、従事者用アプリケーションを介して情報共有システム１０を利用することが可能となる。
【００４９】
患者用アプリケーションの利用が許可された患者は、自身の患者情報を特定の従事者に開示することを希望する場合には、患者端末１００を操作して、特定の従事者に対して自身の患者情報を開示して情報を共有するように指示することができる。
【００５０】
なお、患者が自身の患者情報を特定の従事者に開示することを希望するケースとしては、例えば次のような場合が考えられる。患者がある病院Ａに通院している状況で、病院Ａの医師より、別の病院Ｂを紹介されたとする。この場合は、病院Ａの医師によって入力された、患者の診療情報や患者の受け渡し情報が記録装置３０４に記録されており、患者は、病院Ｂを訪れた際に、この診療情報や受け渡し情報を含んだ患者情報を病院Ｂの担当医師に開示することになる。これによって、患者の診療情報や患者の受け渡し情報が病院Ａの医師と病院Ｂの医師との間で共有されることになる。
【００５１】
このために、患者は、自身の患者情報を開示することを希望する従事者を前にして、患者端末１００を操作し、所定の情報開示指示のための操作を行う。情報開示指示のための操作は、例えば、タッチパネル１０１上に表示された情報開示を指示するためのボタンにタッチする操作としてもよいし、患者用アプリケーションを起動した状態で患者端末１００を把持して振る等の操作としてもよい。
【００５２】
制御装置１０４は、患者による情報開示指示のための操作を検出した場合には、ＧＰＳモジュール１０６により受信したＧＰＳ信号に基づいて、患者端末１００の現在位置、例えば緯度・経度を特定し、特定した現在位置を示す情報を情報管理装置３００へ送信する。
【００５３】
情報管理装置３００では、制御装置３０３は、患者端末１００から現在位置の情報を受信すると、受信した現在位置情報に基づいて、患者端末１００の最も近くに存在する従事者端末２００を特定する。このために、各従事者端末２００からは所定時間間隔、例えば1０分ごとに、従事者端末２００の現在位置を示す情報が情報管理装置３００へ送信されている。制御装置３０３は、各従事者端末２００から受信した最新の現在位置を示す情報をバッファメモリまたは記録装置３０４に記録しておき、患者端末１００から現在位置の情報を受信したタイミングで、患者端末１００から現在位置の情報を受信した現在位置を示す情報と、バッファメモリまたは記録装置３０４に記録されている従事者端末２００現在位置を示す情報とを比較して、患者端末１００の最も近くに存在する従事者端末２００を特定する。そして、制御装置３０３は、特定した患者端末１００の最も近くに存在する従事者端末２００の現在位置を示す情報を患者端末１００へ送信する。
【００５４】
患者端末１００では、制御装置１０４は、情報管理装置３００から従事者端末２００の現在位置を示す情報を受信すると、患者端末１００の現在位置と従事者端末２００の現在位置とに基づいて、該従事者端末２００を所持する従事者を患者の個人情報、すなわち患者情報の開示先として許可するか否かを判定するための許可判定処理を実行する。
【００５５】
ここで、制御装置１０４による許可判定処理について説明する。制御装置１０４は、以下の許可判定処理（Ａ）〜（Ｇ）を実行し、その実行結果に基づいて、情報管理装置３００から現在位置を示す情報を受信した従事者端末２００を所持する従事者に対して、患者情報の開示を許可するか否かを判断する。なお、以下に説明するように、許可判定処理（Ｂ）〜（Ｇ）は、従事者が医療従事者である場合を想定しているため、従事者が介護従事者である場合には、許可判定処理（Ａ）の実行結果のみに基づいて患者情報の開示を許可するか否かを判断することになる。
【００５６】
許可判定処理（Ａ）では、制御装置１０４は、患者端末１００の現在位置と従事者端末２００の現在位置とが所定距離内、例えば１０ｍ以内にあるときに、従事者端末２００を所持する従事者を患者情報の開示先として許可すると判定する。一方、制御装置１０４は、上記の条件を満たさないときは、従事者端末２００を所持する従事者を患者情報の開示先として許可しないと判定する。具体的には、制御装置１０４は、患者端末１００の緯度および経度と、従事者端末２００の緯度および経度とに基づいて、三角関数を用いて２点間の距離を算出するなど、公知の方法により患者端末１００と従事者端末２００との間の距離を算出し、該距離があらかじめ閾値として設定された所定距離以内にあるときに、従事者端末２００を所持する従事者を患者情報の開示先として許可すると判定する。
【００５７】
許可判定処理（Ｂ）では、制御装置１０４は、患者端末１００の現在位置と従事者端末２００の現在位置があらかじめ設定された医療機関の敷地内に位置しているときに、従事者端末２００を所持する従事者を患者情報の開示先として許可すると判定する。一方、制御装置１０４は、上記の条件を満たさないときは、従事者端末２００を所持する従事者を患者情報の開示先として許可しないと判定する。具体的には、制御装置１０４は、許可判定処理（Ａ）で患者情報の開示を許可すると判定した従事者の医療・介護従事者情報を参照して、所属している病院名を特定するとともに、上述した病院情報を参照して、該病院の敷地の緯度・経度を特定する。そして、制御装置１０４は、許可判定処理（Ａ）で患者情報の開示を許可すると判定した従事者の従事者端末２００の現在位置と、患者端末１００の現在位置が、敷地の緯度・経度に基づいて特定される病院の敷地範囲内に位置しているときに、従事者端末２００を所持する従事者を患者情報の開示先として許可すると判定する。なお、病院情報に含まれる敷地の緯度・経度情報は、敷地の境界線を構成する複数点の緯度・経度情報や、敷地の各頂点部分の緯度・経度情報等、敷地範囲を略正確に特定できる情報を用いればよい。
【００５８】
許可判定処理（Ｃ）では、制御装置１０４は、従事者端末２００の所持者が医療機関の所属者であるときに、従事者端末２００を所持する従事者を患者情報の開示先として許可すると判定する。一方、制御装置１０４は、上記の条件を満たさないときは、従事者端末２００を所持する従事者を患者情報の開示先として許可しないと判定する。具体的には、制御装置１０４は、許可判定処理（Ｂ）で患者情報の開示を許可すると判定した従事者の医療・介護従事者情報を参照して、所属している病院名が、許可判定処理（Ｂ）で従事者端末２００の現在位置が位置している医療機関の敷地範囲に対応する医療機関の名称と一致するときに、従事者端末２００を所持する従事者を患者情報の開示先として許可すると判定する。
【００５９】
許可判定処理（Ｄ）では、制御装置１０４は、従事者端末２００の所持者が、医療機関において患者情報の開示が許可されているときに、従事者端末２００を所持する従事者を患者情報の開示先として許可する。一方、制御装置１０４は、上記の条件を満たさないときは、従事者端末２００を所持する従事者を患者情報の開示先として許可しないと判定する。具体的には、制御装置１０４は、許可判定処理（Ｂ）で患者情報の開示を許可すると判定した従事者の医療・介護従事者情報を参照して、該従事者に付与されている権限を確認し、該従事者に患者情報の閲覧権限が付与されているときに、従事者端末２００を所持する従事者を患者情報の開示先として許可すると判定する。
【００６０】
許可判定処理（Ｅ）では、制御装置１０４は、従事者が所属する医療機関に、紹介情報の患者の治療に当たって必要とする専門領域に関する情報によって指定されている専門領域に対応する診療科が設置されている場合に、従事者端末２００を所持する従事者を患者情報の開示先として許可する。一方、制御装置１０４は、上記の条件を満たさないときは、従事者端末２００を所持する従事者を患者情報の開示先として許可しないと判定する。具体的には、制御装置１０４は、患者の受け渡し情報に含まれる紹介情報を参照して、患者の治療に当たって必要とする専門領域を特定する。さらに、制御装置１０４は、許可判定処理（Ｂ）で患者情報の開示を許可すると判定した従事者の医療・介護従事者情報を参照して従事者が所属している病院名を特定し、病院情報を参照して、該病院名の病院に設置されている専門科を特定する。そして、制御装置１０４は、病院に設置されている専門科に、紹介情報を参照して特定した患者の治療に当たって必要とする専門領域に対応する専門科が含まれている場合には、従事者端末２００を所持する従事者を患者情報の開示先として許可すると判定する。
【００６１】
許可判定処理（Ｆ）では、制御装置１０４は、紹介情報の患者の治療に当たって必要とする専門領域に関する情報によって指定されている専門領域と、従事者端末２００の所持者の専門領域が一致する場合に、従事者端末２００を所持する従事者を患者情報の開示先として許可すると判定する。一方、制御装置１０４は、上記の条件を満たさないときは、従事者端末２００を所持する従事者を患者情報の開示先として許可しないと判定する。具体的には、制御装置１０４は、患者の受け渡し情報に含まれる紹介情報を参照して、患者の治療に当たって必要とする専門領域を特定する。さらに、制御装置１０４は、許可判定処理（Ｂ）で患者情報の開示を許可すると判定した従事者の医療・介護従事者情報を参照して、該従事者の専門科を特定する。そして、制御装置１０４は、従事者の専門科と、紹介情報を参照して特定した患者の治療に当たって必要とする専門領域に対応する専門科が一致する場合には、従事者端末２００を所持する従事者を患者情報の開示先として許可すると判定する。
【００６２】
許可判定処理（Ｇ）では、制御装置１０４は、医療機関が、紹介情報で指定されている紹介目的に応じた設備を備えているときに、従事者端末２００を所持する従事者を患者情報の開示先として許可する。一方、制御装置１０４は、上記の条件を満たさないときは、従事者端末２００を所持する従事者を患者情報の開示先として許可しないと判定する。具体的には、制御装置１０４は、紹介情報に含まれる紹介目的を示す情報に基づいて特定される紹介目的が転院であるときは、許可判定処理（Ｂ）で患者情報の開示を許可すると判定した従事者が所属している病院の病院情報を参照して、該病院に入院設備がある場合に、従事者端末２００を所持する従事者を患者情報の開示先として許可すると判定する。また、制御装置１０４は、紹介情報に含まれる紹介目的を示す情報に基づいて特定される紹介目的が手術であるときは、許可判定処理（Ｂ）で患者情報の開示を許可すると判定した従事者が所属している病院の病院情報を参照して、該病院に手術設備ある場合に、従事者端末２００を所持する従事者を患者情報の開示先として許可すると判定する。また、制御装置１０４は、紹介情報に含まれる紹介目的を示す情報に基づいて特定される紹介目的が撮影であるときは、許可判定処理（Ｂ）で患者情報の開示を許可すると判定した従事者が所属している病院の病院情報を参照して、該病院に撮影設備ある場合に、従事者端末２００を所持する従事者を患者情報の開示先として許可すると判定する。
【００６３】
制御装置１０４は、許可判定処理（Ａ）〜（Ｇ）の実行結果において、許可判定処理の対象となった従事者に対して、患者情報の開示を許可すると判定した場合には、該従事者に対して患者情報の開示を許可することを示す開示許可情報を情報管理装置３００へ送信する。この開示許可情報には、患者情報の開示が許可された患者を特定するための情報、例えば患者の氏名と、開示先として許可された従事者を特定するための情報、例えば医療・介護従事者の氏名が含まれる。
【００６４】
情報管理装置３００では、制御装置３０３は、患者端末１００から上記の開示許可情報を受信すると、記録装置３０４から、患者情報の開示が許可された患者の患者情報を読み出して、患者情報の開示が許可された従事者の従事者端末２００へ送信する。
【００６５】
従事者端末２００では、制御装置２０４は、情報管理装置３００から患者情報を受信すると、受信した患者情報をタッチパネル２０１に表示する。これによって、患者は従事者に対して自身の個人情報を開示することができ、従事者間で患者の個人情報を共有することができる。
【００６６】
図５は、患者端末１００で実行される処理の流れを示すフローチャートである。図５に示す処理は、上述したように、患者によって、患者端末１００上で患者用アプリケーションの実行が指示されると起動するプログラムとして、制御装置１０４によって実行される。なお、図５においては、上述した患者情報、病院情報、介護事業者情報、医療・介護従事者情報は、あらかじめ情報管理装置３００の記録装置３０４に記録されているものとする。また、図５では、上述したよう、ログイン要求情報を情報管理装置３００へ送信して行うログイン処理は既に完了し、患者による患者用アプリケーションの利用は許可されているものとする。
【００６７】
ステップＳ１０において、制御装置１０４は、上述したように、患者によって情報開示指示のための操作が行われたことを検出したか否かを判断する。ステップＳ１０で否定判断した場合には、後述するステップＳ７０へ進む。これに対して、ステップＳ１０で肯定判断した場合には、ステップＳ２０へ進む。
【００６８】
ステップＳ２０では、制御装置１０４は、ＧＰＳモジュール１０６により受信したＧＰＳ信号に基づいて、患者端末１００の現在位置、例えば緯度・経度を特定し、特定した現在位置を示す情報を情報管理装置３００へ送信する。その後、ステップＳ３０へ進む。
【００６９】
ステップＳ３０では、制御装置１０４は、情報管理装置３００から、患者端末１００の最も近くに存在する従事者端末２００の現在位置を示す情報を受信したか否かを判断する。ステップＳ３０で肯定判断した場合には、ステップＳ４０へ進む。
【００７０】
ステップＳ４０では、制御装置１０４は、患者端末１００の現在位置と従事者端末２００の現在位置とに基づいて、上述した許可判定処理（Ａ）〜（Ｇ）を実行し、該従事者端末２００を所持する従事者を患者の個人情報、すなわち患者情報の開示先として許可するか否かを判定するための許可判定処理を実行する。その後、ステップＳ５０へ進む。
【００７１】
ステップＳ５０では、制御装置１０４は、許可判定処理（Ａ）〜（Ｇ）の実行結果に基づいて、許可判定処理の対象となった従事者に対して、患者情報の開示を許可すると判定したか否かを判断する。ステップＳ５０で否定判断した場合には、後述するステップＳ７０へ進む。これに対して、ステップＳ５０で肯定判断した場合には、ステップＳ６０へ進む。
【００７２】
ステップＳ６０では、制御装置１０４は、許可判定処理の対象となった従事者に対して、患者情報の開示を許可することを示す開示許可情報を情報管理装置３００へ送信する。その後、ステップＳ７０へ進む。
【００７３】
ステップＳ７０では、制御装置１０４は、患者によって患者用アプリケーションの終了が指示されたか否かを判断する。例えば、患者は、タッチパネル１０１上に表示された終了ボタンにタッチする等、所定の操作を行うことによって患者用アプリケーションの終了を指示することができるものとする。ステップＳ７０で否定判断した場合には、ステップＳ１０へ戻る。これに対して、ステップＳ７０で肯定判断した場合には、処理を終了する。
【００７４】
図６は、従事者端末２００で実行される処理の流れを示すフローチャートである。図６に示す処理は、上述したように、従事者によって、従事者端末２００上で従事者用アプリケーションの実行が指示されると起動するプログラムとして、制御装置２０４によって実行される。なお、図６においては、上述した患者情報、病院情報、介護事業者情報、医療・介護従事者情報は、あらかじめ情報管理装置３００の記録装置３０４に記録されているものとする。また、図６では、上述したよう、ログイン要求情報を情報管理装置３００へ送信して行うログイン処理は既に完了し、従事者による従事者用アプリケーションの利用は許可されており、制御装置２０４はあらかじめ設定された所定時間間隔ごとに、従事者端末２００の現在位置を示す情報を情報管理装置３００へ送信している。
【００７５】
ステップＳ１１０において、制御装置２０４は、情報管理装置３００から患者情報を受信したか否かを判断する。ステップＳ１１０で肯定判断した場合には、ステップＳ１２０へ進む。
【００７６】
ステップＳ１２０では、制御装置２０４は、情報管理装置３００から受信した患者情報をタッチパネル２０１に表示する。その後、ステップＳ１３０へ進む。
【００７７】
ステップＳ１３０では、制御装置２０４は、従事者によって従事者用アプリケーションの終了が指示されたか否かを判断する。例えば、従事者は、タッチパネル２０１上に表示された終了ボタンにタッチする等、所定の操作を行うことによって従事者用アプリケーションの終了を指示することができるものとする。ステップＳ１３０で否定判断した場合には、ステップＳ１１０へ戻る。これに対して、ステップＳ１３０で肯定判断した場合には、処理を終了する。
【００７８】
図７は、本実施の形態において、情報管理装置３００で実行される処理の流れを示すフローチャートである。図７に示す処理は、患者端末１００から、図５のステップＳ２０で送信された現在位置を示す情報を受信すると起動するプログラムとして、制御装置３０３によって実行される。なお、図７においては、上述した患者情報、病院情報、介護事業者情報、医療・介護従事者情報は、あらかじめ情報管理装置３００の記録装置３０４に記録されているものとする。また、制御装置３０３は、各従事者端末２００から所定時間間隔で送信される従事者端末２００の現在位置を示す情報を受信すると、受信した最新の現在位置を示す情報をバッファメモリまたは記録装置３０４に記録していく。また、図７では、上述したように、患者端末１００や従事者端末２００から受信したログイン要求情報に基づく認証処理は既に完了し、患者による患者用アプリケーションの利用、および従事者による従事者用アプリケーションの利用は許可されているものとする。
【００７９】
ステップＳ２１０において、制御装置３０３は、上述したように、患者端末１００から受信した現在位置情報に基づいて、患者端末１００の最も近くに存在する従事者端末２００を特定する。その後、ステップＳ２２０へ進む。
【００８０】
ステップＳ２２０では、制御装置３０３は、特定した患者端末１００の最も近くに存在する従事者端末２００の現在位置を示す情報を患者端末１００へ送信する。その後、ステップＳ２３０へ進む。
【００８１】
ステップＳ２３０では、制御装置３０３は、患者端末１００から上述した開示許可情報を受信したか否かを判断する。ステップＳ２３０で否定判断した場合には、処理を終了する。これに対して、ステップＳ２３０で肯定判断した場合には、ステップＳ２４０へ進む。
【００８２】
ステップＳ２４０では、制御装置３０３は、記録装置３０４から、患者情報の開示が許可された患者の患者情報を読み出して、患者情報の開示が許可された従事者の従事者端末２００へ送信する。その後、処理を終了する。
【００８３】
以上説明した本実施の形態によれば、以下のような作用効果を得ることができる。
（１）従事者に対して個人情報の開示を許可する患者が所持する患者端末１００では、制御装置１０４は、患者から従事者への個人情報の開示要求を受け付けたときに、患者端末１００の現在位置と従事者端末２００の現在位置とに基づいて、従事者を個人情報の開示先として許可するか否かを判定し、従事者を個人情報の開示先として許可すると判定したときに、従事者に対して患者の個人情報の開示を許可することを示す開示許可情報を情報管理装置３００へ送信するようにした。情報管理装置３００では、制御装置３０３は、患者端末１００から開示許可情報を受信したときに、記録装置３０４から患者の個人情報を読み出して、患者の個人情報の開示が許可された従事者の従事者端末２００へ送信するようにした。医療や介護に従事する従事者が所持する従事者端末２００では、制御装置２０４は、情報管理装置３００から患者の個人情報を受信し、受信した患者の個人情報をタッチパネル２０１に表示するようにした。これによって、患者は、自らの医師で従事者に個人情報を開示することができるため、患者の個人情報を複数の従事者間で共有することができる。また、患者端末の現在位置と従事者端末の現在位置とに基づいて、従事者を個人情報の開示先として許可するか否かが判定されるため、個人情報の開示に対するセキュリティを向上させることができる。
【００８４】
（２）患者端末１００では、制御装置１０４は、許可判定処理（Ａ）により、患者端末１００の現在位置と従事者端末２００の現在位置とが所定距離以内にあるときに、従事者を個人情報の開示先として許可すると判定するようにした。これによって、患者の至近に存在する従事者を個人情報の開示先として許可することができ、個人情報の開示に対するセキュリティを向上させることができる。
【００８５】
（３）患者端末１００では、制御装置１０４は、許可判定処理（Ｂ）により、患者端末の現在位置と従事者端末の現在位置があらかじめ設定された医療機関の敷地内に位置しているときに、従事者を個人情報の開示先として許可すると判定するようにした。これによって、患者と従事者が同じ医療機関の敷地内にいるときのみ、その従事者を個人情報の開示先として許可することができ、個人情報の開示に対するセキュリティを向上させることができる。
【００８６】
（４）患者端末１００では、制御装置１０４は、許可判定処理（Ｃ）により、従事者端末２００の所持者が医療機関の所属者であるときに、従事者を個人情報の開示先として許可すると判定するようにした。これによって、従事者が医療機関に所属する人物であるときのみ、その従事者を個人情報の開示先として許可することができ、個人情報の開示に対するセキュリティを向上させることができる。
【００８７】
（５）患者端末１００では、制御装置１０４は、許可判定処理（Ｄ）により、従事者端末２００の所持者が、医療機関において個人情報の開示が許可されているときに、従事者を個人情報の開示先として許可すると判定するようにした。これによって、従事者が医療機関に所属する人物であって、さらに個人情報の開示が許可されているときのみ、その従事者を個人情報の開示先として許可することができ、個人情報の開示に対するセキュリティを向上させることができる。
【００８８】
（６）患者端末１００では、制御装置１０４は、許可判定処理（Ｅ）により、医療機関に、紹介情報で指定されている専門領域に対応する診療科が設置されている場合に、従事者を個人情報の開示先として許可すると判定するようにした。これによって、従事者が所属する医療機関に、患者を診療するために必要な診療科が設置されている場合にのみ、その従事者を個人情報の開示先として許可することができ、個人情報の開示に対するセキュリティを向上させることができる。
【００８９】
（７）患者端末１００では、制御装置１０４は、許可判定処理（Ｆ）により、紹介情報で指定されている専門領域と従事者端末２００の所持者の専門領域が一致する場合に、従事者を個人情報の開示先として許可すると判定するようにした。これによって、従事者が紹介元の従事者によって指定された専門知識を有する場合にのみ、その従事者を個人情報の開示先として許可することができ、個人情報の開示に対するセキュリティを向上させることができる。
【００９０】
（８）患者端末１００では、制御装置１０４は、許可判定処理（Ｇ）により、医療機関が、紹介情報で指定されている紹介目的に応じた設備を備えているときに、従事者を個人情報の開示先として許可すると判定するようにした。具体的には、紹介情報で指定されている紹介目的が転院であるときは、医療機関に入院設備がある場合に、従事者を個人情報の開示先として許可すると判定するようにした。また、紹介情報で指定されている紹介目的が手術であるときは、医療機関に手術設備がある場合に、従事者を個人情報の開示先として許可すると判定するようにした。また、紹介情報で指定されている紹介目的が撮影であるときは、医療機関に撮影設備がある場合に、従事者を個人情報の開示先として許可すると判定するようにした。これによって、従事者が所属する医療機関が、紹介元の従事者が想定した設備を有する場合にのみ、その従事者を個人情報の開示先として許可することができ、個人情報の開示に対するセキュリティを向上させることができる。
【００９１】
―変形例―
なお、上述した実施の形態の情報共有システム１０は、以下のように変形することもできる。
（１）上述した実施の形態では、許可判定処理（Ａ）〜（Ｇ）のうち、許可判定処理（Ｂ）〜（Ｇ）は、従事者が医療従事者である場合を想定しているため、患者端末１００の制御装置１０４は、従事者が医療従事者である場合は、許可判定処理（Ａ）〜（Ｇ）の実行結果に基づいて患者情報の開示を許可するか否かを判断し、従事者が介護従事者である場合には、許可判定処理（Ａ）の実行結果のみに基づいて患者情報の開示を許可するか否かを判断する例について説明した。しかしながら、従事者が医療従事者である場合は、許可判定処理（Ａ）〜（Ｇ）の少なくとも１つを実行するようにしてもよいし、許可判定処理（Ａ）〜（Ｇ）以外に別の判定処理を追加するようにしてもよい。また、従事者が介護従事者である場合は、許可判定処理（Ａ）以外に別の判定処理を追加するようにしてもよい。
【００９２】
（２）上述した実施の形態では、患者端末１００の制御装置１０４は、許可判定処理（Ａ）〜（Ｇ）の実行結果に基づいて、対象となる従事者へ情報開示を許可すると判定した場合に、許可判定処理の対象となった従事者に対して患者情報の開示を許可することを示す開示許可情報を情報管理装置３００へ送信する例について説明した。しかしながら、制御装置１０４は、許可判定処理（Ａ）〜（Ｇ）の実行結果に基づいて、対象となる従事者への情報開示を許可すると判定した場合には、タッチパネル１０１に、従事者に対して個人情報を開示することに対する同意を求める確認画面を表示し、患者が確認画面上で同意することを示す操作を行ったときに、開示許可情報を情報管理装置３００へ送信するようにしてもよい。例えば、確認画面では、従事者に対して個人情報を開示することに同意するか否かを「はい」、「いいえ」のボタンにタッチすることにより応答できるようにしておき、制御装置１０４は、確認画面上で「はい」がタッチされたことを検出したときに、開示許可情報を情報管理装置３００へ送信すればよい。これによって、従事者に対して個人情報を開示する前に、患者の同意を得ることができる。
【００９３】
（３）上述した実施の形態では、医療・介護従事者情報には、従事者に対して付与されている権限の情報を含み、この付与されている権限としては、所属している医療機関から医療従事者に対して付与されている患者情報の閲覧権限や編集権限を示す情報や、所属している介護機関から介護従事者に対して付与されている患者情報の閲覧権限や編集権限を示す情報が記録される例について説明した。しかしながら、閲覧権限や編集権限は、患者情報に対して設定される場合に限定されず、患者情報に含まれる基本情報、生活情報、診療情報、診療情報、受け渡し情報、介護・看護情報のそれぞれの情報に対して、閲覧の可否、および編集の可否を設定するようにしてもよい。
【００９４】
この場合、患者情報に含まれる各情報の閲覧権限や編集権限は、医療・看護・介護等の保持資格や所属機関に応じて設定するようにしてもよい。一例を挙げると、医師に対しては、基本情報、生活情報、診療情報、受け渡し情報、介護・看護情報の閲覧権限および編集権限を付与し、看護士に対しては、基本情報、生活情報、診療情報、診療情報、受け渡し情報、介護・看護情報の閲覧権限を付与するとともに、基本情報、生活情報、介護・看護情報の編集権限を付与するようにしてもよい。また、医師所属機関の事務員に対しては、基本情報、生活情報、診療情報、受け渡し情報、介護・看護情報の閲覧権限、および基本情報、生活情報の編集権限を付与し、介護士の場合に対しては、基本情報、生活情報、介護・看護情報の閲覧権限、および基本情報、生活情報、介護情報の編集権限を付与し、介護士所属機関の事務員に対しては、基本情報、生活情報、介護・看護情報の閲覧権限、および基本情報、生活情報の編集権限を付与するようにすればよい。
【００９５】
（４）上述した実施の形態では、患者端末１００では、制御装置１０４は、患者端末１００の現在位置をＧＰＳモジュール１０６により受信したＧＰＳ信号に基づいて特定するようにした。また、従事者端末２００では、制御装置２０４は、従事者端末２００の現在位置をＧＰＳモジュール２０６により受信したＧＰＳ信号に基づいて特定するようにした。しかしながら、患者端末１００の現在位置や従事者端末２００の現在位置の特定方法はこれに限定されるものではない。例えば、無線ＬＡＮのアクセスポイントの情報を用いる方法や、携帯電話の基地局の情報を用いる方法等、他の公知の方法を用いて患者端末１００や従事者端末２００の現在位置を特定するようにしてもよい。
【００９６】
（５）上述した実施の形態では、患者端末１００や従事者端末２００は、例えばスマートフォンやタブレット端末等の情報端末等の一般的な情報端末が用いられる例について説明した。しかしながら、これらの汎用性のある情報端末ではなく、情報管理装置３００と通信を行うための専用端末を用いてもよい。
【００９７】
（６）上述した実施の形態では、患者端末１００と従事者端末２００は、通話機能を備えたスマートフォンを想定しているため、発話者の音声を入力するためのマイクを備えるが、患者端末１００や従事者端末２００として音声を入力する必要がない装置を用いる場合には、マイクは必ずしも搭載する必要はない。同様に、患者端末１００や従事者端末２００として音声を出力する必要がない装置を用いる場合には、スピーカーは必ずしも搭載する必要はない。
【００９８】
（７）上述した実施の形態では、患者用アプリケーションのプログラムは、患者端末１００が備える制御装置１０４を構成する不揮発性のメモリに記録され、従事者用アプリケーションのプログラムは、従事者端末２００が備える制御装置２０４を構成する不揮発性のメモリに記録される例について説明した。しかしながら、患者端末１００や従事者端末２００が、メモリカード等の外部メモリを利用可能な場合には、患者用アプリケーションのプログラムや従事者用アプリケーションのプログラムは、外部メモリに記録するようにしてもよい。
【００９９】
（８）上述した実施の形態では、情報管理装置３００は、操作者が操作するための操作部材３０１を備えるが、操作者が通信回線を介して接続された端末から情報管理装置３００をリモート操作する場合には、必ずしも操作部材３０１は備える必要がない。
【０１００】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【０１０１】
１０  情報共有システム
１００  患者端末
１０１  タッチパネル
１０２  通信モジュール
１０３  マイク
１０４  制御装置
１０５  スピーカー
１０６  ＧＰＳモジュール
２００  従事者端末
２０１  タッチパネル
２０２  通信モジュール
２０３  マイク
２０４  制御装置
２０５  スピーカー
２０６  ＧＰＳモジュール
３００  情報管理装置
３０１  操作部材
３０２  接続ＩＦ
３０３  制御装置
３０４  記録装置
【要約】      （修正有）【課題】医療や介護の従事者間で患者個人情報を共有するシステムを提供する。【解決手段】情報共有システム１０では、患者端末１００は患者から従事者への個人情報の開示要求を受け付ける開示要求受付手段と、開示要求を受け付けたときに、患者端末１００と従事者端末２００の現在位置とに基づいて、従事者を個人情報の開示先として許可するか否かの許可判定手段と、許可すると判定したときに、従事者に対して患者個人情報の開示を許可する情報を送信する開示許可情報送信手段とを備える。情報管理装置３００は患者端末１００から開示許可情報を受信する開示許可情報受信手段と、開示許可情報を受信したときに、患者個人情報を読み出して、開示許可された従事者端末２００へ送信する個人情報送信手段とを備える。従事者端末２００は、情報管理装置３００から患者個人情報を受信する個人情報受信手段と、患者個人情報を表示する個人情報表示手段とを備える。【選択図】図１【図１】
0005752835.tif 000002
【図２】
0005752835.tif 000003
【図３】
0005752835.tif 000004
【図４】
0005752835.tif 000005
【図５】
0005752835.tif 000006
【図６】
0005752835.tif 000007
【図７】
0005752835.tif 000008